(57)【要約】      （修正有）【課題】祝儀・不祝儀袋の中に収められた紙幣の金額を確認しようとする場合、祝儀・不祝儀袋の一部またはすべてを開封した後、紙幣を取り出して確認する必要があるため手間を要する。【解決手段】祝儀・不祝儀袋１の紙幣を内包する側で、紙幣を載置する長方形の面６の寸法が、一万円券（一万円札）の寸法よりも０〜０．５ｍｍ大きい祝儀・不祝儀袋１であり、且つ、当該祝儀・不祝儀袋１の所定の箇所には、一定の大きさを有する略長方形の小窓２が設けてあることを特徴とする祝儀・不祝儀袋であり、紙幣が収められた祝儀・不祝儀袋１について、開封して紙幣を取り出すことなく、当該祝儀・不祝儀袋１に設けられた小窓２から内部に収められた紙幣の金額を確認できることを特徴とする祝儀・不祝儀袋１を活用することで課題の解決が図られる。【選択図】図１
2018154402.tif 000002
【特許請求の範囲】
【請求項１】
祝儀・不祝儀袋の紙幣を内包する側で、紙幣を載置する長方形の面の寸法が、一万円券（一万円札）の寸法よりも０〜０．５ｍｍ大きい祝儀・不祝儀袋であり、且つ、当該祝儀・不祝儀袋の所定の箇所には、一定の大きさを有する略長方形の小窓が設けてあることを特徴とする祝儀・不祝儀袋。
【請求項２】
紙幣が収められた祝儀・不祝儀袋について、開封して紙幣を取り出すことなく、当該祝儀・不祝儀袋に設けられた小窓から内部に収められた紙幣の金額を確認できることを特徴とする請求項１に関わる祝儀・不祝儀袋。
【発明の詳細な説明】
【技術分野】
【０００１】本発明は紙幣が収められた祝儀・不祝儀袋について、開封して紙幣を取り出すことなく、祝儀・不祝儀袋に設けられた小窓から内部に収められた紙幣の金額を確認できる祝儀・不祝儀袋に関するものである。
【背景技術】
【０００２】現在、汎用されている祝儀・不祝儀袋は、内部に収められた紙幣の金額を確認しようとする場合、祝儀・不祝儀袋を開封して紙幣を取り出してから確認する必要があり、手間を要する。また、現在汎用されている祝儀・不祝儀袋の寸法について、短い辺の寸法が９０〜１００ｍｍ以上の祝儀・不祝儀袋が多数を占めている状況である。
【先行技術文献】
【特許文献】
【０００３】
【特許文献１】特開２００１−１３０５８３
【発明の概要】
【発明が解決しようとする課題】
【０００４】祝儀・不祝儀袋の中に収められた紙幣の金額を確認しようとする場合、水引の装着がない祝儀・不祝儀袋は祝儀・不祝儀袋を開封した後、紙幣を取り出して確認する必要があり、水引の装着がある祝儀・不祝儀袋は、水引から祝儀・不祝儀袋の上端または下端を外し、祝儀・不祝儀袋を一部開封した後、紙幣を取り出して確認する必要があり、どちらの祝儀・不祝儀袋においても手間を要する。実際、祝儀・不祝儀袋に事前に紙幣を収納し準備をしても、包んだ金額に誤りが起こっている可能性があるため、できる限り祝儀・不祝儀袋の受け渡しをする前に再度、金額の確認をすることが望まれるが、開封して確認する作業は手間がかかるため面倒と言わざるを得ない。【０００５】また、国内の地域によっては葬儀の受付の場面で、弔問客から香典（不祝儀袋）を預かった受付係の者が、その中に収められた紙幣の金額をその場で確認するケースがあり、その際は弔問客を待たせ、弔問客の目の前で受け取った不祝儀袋を開封して確認作業を行うため、受付が混み合い、且つ、受付係の者には弔問客立会いのもとで開封作業を行うことによる心的ストレスが生じる。
【課題を解決するための手段】
【０００６】祝儀・不祝儀袋の紙幣を内包する側で、紙幣を載置する長方形の面の寸法が、一万円券（一万円札）の寸法よりも０〜０．５ｍｍ大きい祝儀・不祝儀袋であり、且つ、当該祝儀・不祝儀袋の所定の箇所には、一定の大きさを有する略長方形の小窓が設けてあることを特徴とする祝儀・不祝儀袋であり、紙幣が収められた祝儀・不祝儀袋について、開封して紙幣を取り出すことなく、当該祝儀・不祝儀袋に設けられた小窓から内部に収められた紙幣の金額を確認できることを特徴とする祝儀・不祝儀袋を活用することで課題の解決が図られる。
【発明の効果】
【０００７】祝儀・不祝儀袋の紙幣を内包する側で、紙幣を載置する長方形の面の寸法が一万円券（一万円札）の寸法よりも０〜０．５ｍｍ大きく、公差を小さく限定することで、紙幣を一定の向きで収納すると、所定の箇所に設けた小窓から、ずれることなく紙幣の金額を表すアラビア数字を視認できることで、開封して紙幣を取り出すことなく、紙幣が収納された状態のまま、金額を素早く確認することができる。そのため、紙幣の入れ間違いや、紙幣の入れ忘れを効果的に予防することができる。【０００８】また、小窓の大きさの設定により、収納する紙幣は一万円券（一万円札）でも五千円券（五千円札）でも同様の効果が得られる。さらに、所定の箇所に２つの小窓を設けることにより、収納する紙幣の向きについて、紙幣を上下、裏表どのような向きで収納しても、どちらか一方の小窓から紙幣の金額を表すアラビア数字を視認できることで、紙幣が収納された状態のまま、金額を確認することができる。【０００９】さらに、国内の特定の地域における葬儀の受付のように、祝儀・不祝儀袋の使用者以外の第三者が祝儀・不祝儀袋に収められた紙幣の金額を祝儀・不祝儀袋使用者立会いのもとで確認するような場面では、祝儀・不祝儀袋を開封して紙幣を取り出すことなく小窓の目視のみで素早く金額を確認できるため、確認作業をスムーズに行うことができ、作業の負担が大きく軽減される。また、祝儀・不祝儀袋使用者立会いのもとで開封作業を行うことによって生じる心的ストレスも軽減される。本発明祝儀・不祝儀袋の形状は現在汎用されている祝儀・不祝儀袋に比べスリムであることから上着のポケットなどに収納しやすい。
【図面の簡単な説明】
【００１０】
【図１】本発明祝儀・不祝儀袋の展開図である。
【図２】本発明祝儀・不祝儀袋を展開したときの斜視図である。
【図３】本発明祝儀・不祝儀袋を展開し紙幣を載置した際の斜視図である。
【図４】本発明祝儀・不祝儀袋における小窓目視の実施例の斜視図である。
【図５】本発明祝儀・不祝儀袋で小窓を２箇所設置した際の展開図である。
【発明を実施するための形態】
【００１１】祝儀・不祝儀袋１の形態の概要は図１および図２に示す通りである。材質は奉書紙、コットン紙、和紙などの紙であり、長方形の紙を任意の幅で、たてよこ、それぞれ３分割し、左右、上下に１回ずつ計４回折って得られる構造物である。また、紙幣４を収納し、畳んで閉じ終わった祝儀・不祝儀袋１の寸法は一万円券（一万円札）の寸法とほぼ同程度である。なお、紙幣４を収納し終えた祝儀・不祝儀袋１については水引の装着があってもよい。
【００１２】また、祝儀・不祝儀袋１の所定の箇所には、略長方形の型で祝儀・不祝儀袋１の実壁がくり抜かれて小窓２が設置されており、その小窓２には透明フィルム３が祝儀・不祝儀袋１の紙幣を内包する側から貼られ、図４に示す通り、外側から内部に収められた紙幣４の金額が視認できるようになっている。なお、祝儀・不祝儀袋１に設ける小窓２の数は図５に示した通り、各々所定の箇所で２つ以上であってもよい。
【実施例】
【００１３】使い方は図２のように祝儀・不祝儀袋１を展開し、紙幣４に描かれている人物画が裏で且つ手前になるように、紙幣４を１枚のみ、紙幣を載置する長方形の面６の上に載置する。この際、紙幣を載置する長方形の面６から紙幣４がはみ出ないよう注意を払う。紙幣４を載置した状態を図３に示す。紙幣４を載置し終えたら、展開した手順と逆の手順で祝儀・不祝儀袋１を畳んで閉じ、その後、図４に示すように祝儀・不祝儀袋１の裏面の小窓２を目視し、紙幣４の金額を表すアラビア数字が小窓２から視認できることと、内封した金額と小窓２から見えている金額を表すアラビア数字が一致しているかどうかを確認する。【００１４】本発明を実施するにあたり、具体的な材質及び寸法であるが、材質は奉書紙であり、２１１ｍｍ×２３４ｍｍの寸法の奉書紙を左右、上下に１回ずつ計４回折り、紙幣４を内包する側で紙幣を載置する長方形の面６が７６ｍｍ×１６０ｍｍより各々０〜０．５ｍｍ大きい寸法となるよう祝儀・不祝儀袋１を作製する。前述の寸法により、紙幣４を収納し、畳んで閉じ終わった後の祝儀・不祝儀袋１の寸法は一万円券（一万円札）の寸法とほぼ同程度である。【００１５】さらに紙幣４を内包する側で紙幣を載置する長方形の面６には、実壁がくり抜かれて一定の大きさを有する略長方形の小窓２が設置されているが、小窓２の設置箇所については、前述した所定の向きで紙幣４を祝儀・不祝儀袋１に載置して収納した際、紙幣４の金額を表示しているアラビア数字を明瞭に視認できる箇所を選定して小窓２を設けている。紙幣を載置する長方形の面６の寸法の公差を本発明のように０〜０．５ｍｍと小さく限定することにより、紙幣４の載置される範囲が限定されるため、小窓２から紙幣４の金額を表すアラビア数字がずれることなく表示される。
【産業上の利用可能性】
【００１６】汎用されている祝儀袋や不祝儀袋のほか、本発明を取り入れた祝儀・不祝儀袋の需要は少なからずあるものと思われる。
【符号の説明】
【００１７】１．祝儀・不祝儀袋
２．小窓
３．透明フィルム
４．紙幣
５．紙幣のすかし
６．紙幣を載置する長方形の面
【図１】
2018154402.tif 000003
【図２】
2018154402.tif 000004
【図３】
2018154402.tif 000005
【図４】
2018154402.tif 000006
【図５】
2018154402.tif 000007